【手続補正書】
【提出日】平成16年12月27日(2004.12.27)
【手続補正１】
【補正対象書類名】明細書
【補正対象項目名】発明の名称
【補正方法】変更
【補正の内容】
【発明の名称】画像復元装置、電子スチルカメラシステム、及び電子スチルカメラ
【手続補正２】
【補正対象書類名】明細書
【補正対象項目名】特許請求の範囲
【補正方法】変更
【補正の内容】
【特許請求の範囲】
【請求項１】
固体撮像素子の映像信号から画像を復元する画像復元装置であって、
上記固体撮像素子の映像信号から背景色を推定する背景色推定手段と、
上記固体撮像素子の映像信号から所定サイズの局所領域を抽出する抽出手段と、
上記背景色推定手段から推定された背景色に基づき上記局所領域内の映像信号を背景とその他の画像とに分離する分離手段と、
上記分離手段により背景とされた場合には上記背景色により欠落する色信号を復元する欠落色復元手段と、
を具備することを特徴とする画像復元装置。
【請求項２】
上記欠落色復元手段は、上記分離手段によりその他の画像とされた場合には上記局所領域内のその他とされた領域の平均化された映像信号により欠落する色信号を復元することを特徴とする請求項１に記載の画像復元装置。
【請求項３】
上記その他の画像は急峻なエッジ部からなる画像であることを特徴とする請求項１に記載の画像復元装置。
【請求項４】
上記背景色推定手段は、上記固体撮像素子の映像信号から縮小サイズの欠落する色信号のない映像信号を生成し、上記縮小サイズの欠落する色信号のない映像信号から輝度信号を生成し、上記輝度信号の範囲に応じて上記縮小サイズの欠落する色信号のない映像信号から背景色を推定することを特徴とする請求項１に記載の画像復元装置。
【請求項５】
上記抽出手段から抽出された局所領域内の急峻なエッジ部からなる画像の色を推定する急峻なエッジ部からなる画像の色推定手段を更に具備し、
上記分離手段は、上記背景色推定手段から推定された背景色と上記急峻なエッジ部からなる画像の色推定手段から推定された上記急峻なエッジ部からなる画像の色に基づき上記局所領域内の映像信号を背景と急峻なエッジ部からなる画像とに分離することを特徴とする請求項１に記載の画像復元装置。
【請求項６】
上記欠落色復元手段は、上記分離手段により背景とされた場合には上記背景色により欠落する色信号を復元し、上記分離手段により急峻なエッジ部からなる画像とされた場合には上記急峻なエッジ部からなる画像の色により欠落する色信号を復元することを特徴とする請求項５に記載の画像復元装置。
【請求項７】
上記急峻なエッジ部からなる画像は文字画像であることを特徴とする請求項３乃至６の何れかに記載の画像復元装置。
【請求項８】
上記急峻なエッジ部からなる画像は複数種類の色からなることを特徴とする請求項３乃至７の何れかに記載の画像復元装置。
【請求項９】
固体撮像素子を用いた電子スチルカメラ及び後処理装置からなる電子スチルカメラシステムにおいて、
上記固体撮像素子の映像信号から欠落する色信号を、補間により復元する汎用画像復元手段と、
上記汎用画像復元手段により復元された映像信号から急峻なエッジ部からなる画像を、上記補間とは異なる上記急峻なエッジ部からなる画像に適した復元方法により復元する画像復元手段と、
上記汎用画像復元手段により復元された映像信号を上記急峻なエッジ部からなる画像復元手段に伝送する伝送手段と、
を具備し、
少なくとも上記急峻なエッジ部からなる画像復元手段を上記後処理装置内に構成したことを特徴とする電子スチルカメラシステム。
【請求項１０】
上記急峻なエッジ部からなる画像は文字画像であることを特徴とする請求項９に記載の電子スチルカメラシステム。
【請求項１１】
上記急峻なエッジ部からなる画像は複数種類の色からなることを特徴とする請求項９または１０に記載の電子スチルカメラシステム。
【請求項１２】
固体撮像素子を用いた電子スチルカメラにおいて、
上記固体撮像素子の映像信号から欠落する色信号を、補間により復元する汎用画像復元手段と、
上記固体撮像素子の映像信号から急峻なエッジ部からなる画像を、上記補間とは異なる上記急峻なエッジ部からなる画像に適した復元方法により復元する急峻なエッジ部からなる画像復元手段と、
上記汎用画像復元手段と上記急峻なエッジ部からなる画像復元手段とを切り換える処理切換手段と、
を具備することを特徴とする電子スチルカメラ。
【手続補正３】
【補正対象書類名】明細書
【補正対象項目名】０００１
【補正方法】変更
【補正の内容】
【０００１】
【発明の属する技術分野】
本発明は、固体撮像素子を用いた電子スチルカメラ及びそれを一構成要素とする電子スチルカメラシステムにおいて、複数種類の色からなる文字画像のように急峻なエッジ部からなる画像を高精細に可読性に優れた画像に復元する画像復元装置に関する。また、そのような画像復元装置の適用される電子スチルカメラ及び電子スチルカメラシステムに関する。
【手続補正４】
【補正対象書類名】明細書
【補正対象項目名】０００９
【補正方法】変更
【補正の内容】
【０００９】
本発明は、上記の点に鑑みてなされたもので、固体撮像素子を用いた電子スチルカメラ及びそれを一構成要素とする電子スチルカメラシステムにおいて、複数種類の色からなる文字画像のように急峻なエッジ部からなる画像を高精細に可読性に優れた画像に復元可能な画像復元装置を提供し、以ってそのような画像復元装置を備えることにより、急峻なエッジ部からなる画像を高精細に可読性に優れた画像に復元可能な電子スチルカメラ及び電子スチルカメラシステムを提供することを目的とする。
【手続補正５】
【補正対象書類名】明細書
【補正対象項目名】００１０
【補正方法】変更
【補正の内容】
【００１０】
【課題を解決するための手段】
上記の目的を達成するために、請求項１に記載の画像復元装置は、固体撮像素子の映像信号から画像を復元する画像復元装置であって、上記固体撮像素子の映像信号から背景色を推定する背景色推定手段と、上記固体撮像素子の映像信号から所定サイズの局所領域を抽出する抽出手段と、上記背景色推定手段から推定された背景色に基づき上記局所領域内の映像信号を背景とその他の画像とに分離する分離手段と、上記分離手段により背景とされた場合には上記背景色により欠落する色信号を復元する欠落色復元手段と、を備えることを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
即ち、請求項１に記載の画像復元装置によれば、背景色推定手段にて、固体撮像素子の映像信号から背景色を推定し、また、固体撮像素子の映像信号から所定サイズの局所領域を抽出する抽出手段によって抽出された上記局所領域内の映像信号を、分離手段によって、上記背景色推定手段から推定された背景色に基づいて背景とその他の画像とに分離する。そして、この分離手段により背景とされた場合には、欠落色復元手段は、上記背景色により欠落する色信号を復元する。
【手続補正９】
【補正対象書類名】明細書
【補正対象項目名】００１４
【補正方法】変更
【補正の内容】
【００１４】
また、請求項９に記載の電子スチルカメラシステムは、固体撮像素子を用いた電子スチルカメラ及び後処理装置からなる電子スチルカメラシステムであって、上記固体撮像素子の映像信号から欠落する色信号を、補間により復元する汎用画像復元手段と、上記汎用画像復元手段により復元された映像信号から急峻なエッジ部からなる画像を、上記補間とは異なる上記急峻なエッジ部からなる画像に適した復元方法により復元する画像復元手段と、上記汎用画像復元手段により復元された映像信号を上記急峻なエッジ部からなる画像復元手段に伝送する伝送手段と、を備え、少なくとも上記急峻なエッジ部からなる画像復元手段を上記後処理装置内に構成したことを特徴とする。
【手続補正１０】
【補正対象書類名】明細書
【補正対象項目名】００１５
【補正方法】変更
【補正の内容】
【００１５】
即ち、請求項９に記載の電子スチルカメラシステムによれば、汎用画像復元手段によって、固体撮像素子の映像信号から欠落する色信号を、補間により復元し、伝送手段によって、この汎用画像復元手段により復元された映像信号を後処理装置内に構成した急峻なエッジ部からなる画像復元手段に伝送する。そして、急峻なエッジ部からなる画像復元手段で、この汎用画像復元手段により復元された映像信号から急峻なエッジ部からなる画像を、上記補間とは異なる上記急峻なエッジ部からなる画像に適した復元方法により復元する。
【手続補正１１】
【補正対象書類名】明細書
【補正対象項目名】００１６
【補正方法】変更
【補正の内容】
【００１６】
また、請求項１２に記載の電子スチルカメラは、固体撮像素子を用いた電子スチルカメラであって、上記固体撮像素子の映像信号から欠落する色信号を、補間により復元する汎用画像復元手段と、上記固体撮像素子の映像信号から急峻なエッジ部からなる画像を、上記補間とは異なる上記急峻なエッジ部からなる画像に適した復元方法により復元する急峻なエッジ部からなる画像復元手段と、上記汎用画像復元手段と上記急峻なエッジ部からなる画像復元手段とを切り換える処理切換手段と、を備えることを特徴とする。
【手続補正１２】
【補正対象書類名】明細書
【補正対象項目名】００１７
【補正方法】変更
【補正の内容】
【００１７】
即ち、請求項１２に記載の電子スチルカメラによれば、処理切換手段は、固体撮像素子の映像信号から欠落する色信号を、補間により復元する汎用画像復元手段と、固体撮像素子の映像信号から急峻なエッジ部からなる画像を、上記補間とは異なる上記急峻なエッジ部からなる画像に適した復元方法により復元する急峻なエッジ部からなる画像復元手段とを切り換える。
【手続補正１３】
【補正対象書類名】明細書
【補正対象項目名】０１４０
【補正方法】変更
【補正の内容】
【０１４０】
【発明の効果】
以上詳述したように、本発明によれば、固体撮像素子を用いた電子スチルカメラ及びそれを一構成要素とする電子スチルカメラシステムにおいて、複数種類の色からなる文字画像のように急峻なエッジ部からなる画像を高精細に可読性に優れた画像に復元可能な画像復元装置を提供し、以ってそのような画像復元装置を備えることにより、急峻なエッジ部からなる画像を高精細に可読性に優れた画像に復元可能な電子スチルカメラ及び電子スチルカメラシステムを提供することができる。